(57)【要約】【課題】広帯域通過特性を維持しつつ、通過域から減衰域への急峻性を確保したフィルタ回路及びそれを備えるフィルタ装置を構成する。【解決手段】フィルタ回路１０１は、第１フィルタ１と第２フィルタ２とを有する。第１フィルタ１は、第１周波数帯を通過帯域とし、第１周波数帯以下を減衰帯域とする、ＬＣ回路によるフィルタである。第２フィルタ２は、第１周波数帯内の第２周波数帯で、弾性波共振子の共振又は反共振による減衰極で減衰させるフィルタである。そして、第１フィルタ１は、第２フィルタ２よりもアンテナ端子ＡＮＴ側に配置される。【選択図】図１
2020108066.tif 000002
【特許請求の範囲】
【請求項１】
アンテナ端子に接続されるフィルタ回路であって、
第１周波数帯を通過帯域とし、前記第１周波数帯以下を減衰帯域とする、ＬＣ回路による第１フィルタと、
前記第１周波数帯に含まれる、第２周波数帯及び前記第２周波数帯よりも周波数が高い第３周波数帯のいずれか一方の周波数帯の少なくとも一部を弾性波共振子の共振又は反共振による減衰極で減衰させる第２フィルタと、
を有し、
前記第１フィルタは、前記第２フィルタよりも前記アンテナ端子側に配置される、
フィルタ回路。
【請求項２】
前記第１フィルタはハイパスフィルタである、
請求項１に記載のフィルタ回路。
【請求項３】
前記第１周波数帯は3GHzからそれ以上の周波数帯である、
請求項１又は２に記載のフィルタ回路。
【請求項４】
前記第１フィルタによる前記第１周波数帯以下の周波数帯での減衰量は-10dBより大きい、
請求項１から３のいずれかに記載のフィルタ回路。
【請求項５】
前記第２周波数帯は3.3GHz以上4.2GHz以下の周波数帯である、
請求項１から４のいずれかに記載のフィルタ回路。
【請求項６】
前記第３周波数帯は4.4GHz以上5.0GHz以下の周波数帯である、
請求項１から５のいずれかに記載のフィルタ回路。
【請求項７】
前記第２フィルタは、シリーズ接続の弾性波共振子及びシャント接続のインダクタを複数段備えるラダー回路である、
請求項１から６のいずれかに記載のフィルタ回路。
【請求項８】
前記第２フィルタは、シリーズ接続のインダクタ及びシャント接続の弾性波共振子を複数段備えるラダー回路である、
請求項１から６のいずれかに記載のフィルタ回路。
【請求項９】
前記第１フィルタはバンドパスフィルタであり、前記第２周波数帯、前記第３周波数帯は前記第１フィルタの通過帯域内にある、
請求項１から８のいずれかに記載のフィルタ回路。
【請求項１０】
共通ポートと第１入出力ポート及び第２入出力ポートとの間に設けられた、第１フィルタ回路及び第２フィルタ回路を備え、
前記第１フィルタ回路及び前記第２フィルタ回路は請求項１から８のいずれかに記載のフィルタ回路であり、
前記第１フィルタ回路は、前記第２周波数帯であるBand n77を減衰させ、前記第２フィルタ回路は、前記第３周波数帯であるBand n79を減衰させる、
フィルタ装置。
【請求項１１】
前記第１フィルタ回路の前記第１フィルタと前記第２フィルタ回路の前記第１フィルタとは共用のフィルタである、
請求項１０に記載のフィルタ装置。
【請求項１２】
請求項１１に記載のフィルタ装置と、
3GHz以下の第３周波数帯の信号を通過させ、前記共用のフィルタとでダイプレクサを構成するローパスフィルタと、
前記ローパスフィルタに接続され、前記第３周波数帯の信号を通過させるバンドパスフィルタと、
を備えるフィルタ装置。
【発明の詳細な説明】
【技術分野】
【０００１】
本発明は、アンテナに接続されるフィルタ回路及びそれを備えるフィルタ装置に関する。
【背景技術】
【０００２】
特許文献１には、弾性波共振子を用いたローパスフィルタと弾性波共振子を用いたハイパスフィルタとを縦続接続させることによって、弾性波共振子によるノッチフィルタの急峻性とLCフィルタの広帯域通過特性とを両立させたバンドパスフィルタが開示されている。
【０００３】
具体的には、ＬＣ回路によるＨＰＦとＬＣ回路によるＬＰＦとの縦続接続回路において、ＨＰＦのシリーズ接続のＣ、ＬＰＦのシャント接続のCをそれぞれ弾性波共振子に置き換え、シリーズ共振子の反共振とシャント共振子の共振とでGNSS帯と2.4GHzの無線LANの周波数帯とをそれぞれ減衰させ、共振子間のLC共振回路でLTE BandにおけるLB帯と、遠方の5GHz帯を減衰させる例が示されている。
【先行技術文献】
【特許文献】
【０００４】
【特許文献１】特開２０１６−１３６６８６号公報
【発明の概要】
【発明が解決しようとする課題】
【０００５】
特許文献１に記載のバンドパスフィルタは、広帯域で急峻なフィルタ・マルチプレクサを実現するうえで有用である。例えば3GHz〜4GHz帯で広帯域のフィルタを実現しつつ、挟帯域に減衰域を形成するためには弾性波共振子を使用する必要がある。
【０００６】
しかし、弾性波共振子は、本質的に非線形ひずみを持ち、大電力の送信信号が入力（印加）されると、LCフィルタに比べてIMD特性に劣る。
【０００７】
特に、3GHz〜4GHz帯を使用する通信システムで使用されるように弾性波共振子を設計しようとすると、エネルギー密度が上がる構造へ変化する。例えば、SAW共振子なら、従来の周波数帯よりIDTピッチが狭くなる、IDT電極の膜厚が薄くなる、といった変化が起こり、SAW共振子で発生するひずみが大きくなること予想される。さらに、LTE Bandとの間での同時送受（Dual Connectivity; DC）や、2.4GHz／5GHz帯の無線LANを両立（co-existence）させる場合などにおいて、複数の周波数帯の送信信号がフィルタ回路に入ることが想定され、通信規格を満足しないほどの受信感度の劣化を引き起こすおそれがある。
【０００８】
そこで、本発明の目的は、広帯域通過特性を維持しつつ、通過域から減衰域への急峻性を確保したフィルタ回路及びそれを備えるフィルタ装置を提供することにある。
【課題を解決するための手段】
【０００９】
（Ａ）本開示の一例としてのフィルタ回路は、アンテナ端子に接続されるフィルタ回路であって、第１周波数帯を通過帯域とし、第１周波数帯以下を減衰帯域とする、ＬＣ回路による第１フィルタと、第１周波数帯に含まれる、第２周波数帯（n77）及び第２周波数帯よりも周波数が高い第３周波数帯(n79)のいずれか一方の周波数帯の少なくとも一部を弾性波共振子の共振又は反共振による減衰極で減衰させる第２フィルタと、を有し、第１フィルタは、前記第２フィルタよりも前記アンテナ端子側に配置される。
【００１０】
上記構成によれば、大電力の第１周波数帯の通過帯域外の信号が印加されるアンテナ端子側にLCフィルタが配置されることで、弾性波共振子で発生されるIMDが抑制され、LCフィルタによって広帯域通過特性が維持される。つまり、広帯域通過特性を維持しつつ、通過域から減衰域への急峻性が確保される。
【００１１】
（Ｂ）本開示の一例としてのフィルタ装置は、共通ポートと第１入出力ポート及び第２入出力ポートとの間に設けられた、第１フィルタ回路及び第２フィルタ回路を備え、第１フィルタ回路及び第２フィルタ回路は上記フィルタ回路であり、第１フィルタ回路は、第２周波数帯であるBand n77を減衰させ、前記第２フィルタ回路は、前記第３周波数帯であるBand n79を減衰させる。
【００１２】
上記構成によれば、3GPP BandにおけるBand n77とBand n79とのダイプレクサとして用いることができる。
【発明の効果】
【００１３】
本発明によれば、大電力の第１周波数帯の帯域外の信号が印加されるアンテナ端子側にＬＣ回路によるフィルタが配置されることで、弾性波共振子でのIMDの発生が抑制され、広帯域通過特性が維持され、また、通過域から減衰域への急峻性が確保された、フィルタ回路及びそれを備えるフィルタ装置が得られる。
【図面の簡単な説明】
【００１４】
【図１】図１は第１の実施形態に係るフィルタ回路１０１のブロック図である。
【図２】図２はフィルタ回路１０１の回路構成を示す図である。
【図３】図３（Ａ）は第１フィルタ１の挿入損失の周波数特性図であり、図３（Ｂ）は第２フィルタ２の挿入損失の周波数特性図である。図３（Ｃ）はフィルタ回路１０１の挿入損失の周波数特性図である。
【図４】図４（Ａ）、図４（Ｂ）は第２の実施形態に係るフィルタ回路１０２Ａ，１０２Ｂのブロック図である。
【図５】図５（Ａ）はフィルタ回路１０２Ａの回路構成を示す図であり、図５（Ｂ）はフィルタ回路１０２Ｂの回路構成を示す図である。
【図６】図６（Ａ）は、フィルタ回路１０２Ａにおける第１フィルタ１の挿入損失の周波数特性図であり、図６（Ｂ）はフィルタ回路１０２Ａにおける第２フィルタ２の挿入損失の周波数特性図である。図６（Ｃ）はフィルタ回路１０２Ａの挿入損失の周波数特性図である。
【図７】図７（Ａ）は、フィルタ回路１０２Ｂにおける第１フィルタ１の挿入損失の周波数特性図であり、図７（Ｂ）はフィルタ回路１０２Ｂにおける第２フィルタ２の挿入損失の周波数特性図である。図７（Ｃ）はフィルタ回路１０２Ｂの挿入損失の周波数特性図である。
【図８】図８は第３の実施形態に係るフィルタ回路１０３のブロック図である。
【図９】図９はフィルタ回路１０３の回路構成を示す図である。
【図１０】図１０（Ａ）はフィルタ回路１０３における第１フィルタ１の挿入損失の周波数特性図であり、図１０（Ｂ）はフィルタ回路１０３における第２フィルタ２の挿入損失の周波数特性図である。図１０（Ｃ）はフィルタ回路１０３の挿入損失の周波数特性図である。
【図１１】図１１は第４の実施形態に係るフィルタ回路１０４のブロック図である。
【図１２】図１２はフィルタ回路１０４の回路構成を示す図である。
【図１３】図１３はフィルタ回路１０４の挿入損失の周波数特性図である。
【図１４】図１４は第５の実施形態に係るフィルタ回路１０５のブロック図である。
【図１５】図１５はフィルタ回路１０５の回路構成を示す図である。
【図１６】図１６（Ａ）は第１フィルタ１の挿入損失の周波数特性図であり、図１６（Ｂ）は第２フィルタ２の挿入損失の周波数特性図である。図１６（Ｃ）はフィルタ回路１０５の挿入損失の周波数特性図である。
【図１７】図１７（Ａ）、図１７（Ｂ）は第６の実施形態に係るフィルタ回路１０６Ａ，１０６Ｂのブロック図である。
【図１８】図１８（Ａ）はフィルタ回路１０６Ａの回路構成を示す図であり、図１８（Ｂ）はフィルタ回路１０６Ｂの回路構成を示す図である。
【図１９】図１９（Ａ）は、フィルタ回路１０６Ａにおける第１フィルタ１の挿入損失の周波数特性図であり、図１９（Ｂ）はフィルタ回路１０６Ａにおける第２フィルタ２の挿入損失の周波数特性図である。図１９（Ｃ）はフィルタ回路１０６Ａの挿入損失の周波数特性図である。
【図２０】図２０（Ａ）は、フィルタ回路１０６Ｂにおける第１フィルタ１の挿入損失の周波数特性図であり、図２０（Ｂ）はフィルタ回路１０６Ｂにおける第２フィルタ２の挿入損失の周波数特性図である。図２０（Ｃ）はフィルタ回路１０６Ｂの挿入損失の周波数特性図である。
【図２１】図２１は第７の実施形態に係るフィルタ回路１０７のブロック図である。
【図２２】図２２はフィルタ回路１０７の回路構成を示す図である。
【図２３】図２３（Ａ）は第１フィルタ１の挿入損失の周波数特性図であり、図２３（Ｂ）は第２フィルタ２の挿入損失の周波数特性図である。図２３（Ｃ）はフィルタ回路１０７の挿入損失の周波数特性図である。
【図２４】図２４は第８の実施形態に係るフィルタ回路１０８のブロック図である。
【図２５】図２５はフィルタ回路１０８の回路構成を示す図である。
【図２６】図２６（Ａ）は第１フィルタ１の挿入損失の周波数特性図であり、図２６（Ｂ）は第２フィルタ２の挿入損失の周波数特性図である。図２６（Ｃ）はフィルタ回路１０８の挿入損失の周波数特性図である。
【図２７】図２７は第９の実施形態に係るフィルタ装置３０９のブロック図である。
【図２８】図２８はフィルタ装置３０９の回路図である。
【図２９】図２９は第１０の実施形態に係るフィルタ装置３１０のブロック図である。
【図３０】図３０はフィルタ装置３１０の回路図である。
【図３１】図３１は第１１の実施形態に係るフィルタ装置３１１のブロック図である。
【発明を実施するための形態】
【００１５】
以降、図を参照して幾つかの具体的な例を挙げて、本発明を実施するための複数の形態を示す。各図中には同一箇所に同一符号を付している。要点の説明又は理解の容易性を考慮して、実施形態を説明の便宜上分けて示すが、異なる実施形態で示した構成の部分的な置換又は組み合わせは可能である。第２の実施形態以降では第１の実施形態と共通の事柄についての記述を省略し、異なる点についてのみ説明する。特に、同様の構成による同様の作用効果については実施形態毎には逐次言及しない。
【００１６】
《第１の実施形態》
図１は第１の実施形態に係るフィルタ回路１０１のブロック図である。このフィルタ回路１０１は、アンテナが接続されるアンテナ端子ＡＮＴと、送受信回路が接続される送受信端子Ｒｘ／Ｔｘと第１フィルタ１と第２フィルタ２とを備える。第１フィルタ１は第１周波数帯を通過帯域とし、それ以下を減衰帯域とするハイパスフィルタである。第２フィルタ２は、第１周波数帯内の第２周波数帯を減衰させるフィルタである。
【００１７】
上記第１周波数帯は例えば3GHz以上の周波数帯（3GHzから上の周波数帯）である。第２周波数帯は3GPP BandにおけるBand n79である。つまり、第２フィルタ２はBand n77を通過させ、Band n79を減衰させる。
【００１８】
第１フィルタ１はＬＣ回路によるフィルタであり、第２フィルタ２は弾性波共振子の共振又は反共振による減衰極で減衰させるフィルタである。そして、第１フィルタ１は第２フィルタ２よりもアンテナ端子ＡＮＴ側に配置される。
【００１９】
図２はフィルタ回路１０１の回路構成を示す図である。第１フィルタ１も第２フィルタ２も回路素子の記号で、それらの回路を表している。
【００２０】
第１フィルタ１は、シャント接続のインダクタＬ１及びキャパシタＣ１２の直列回路と、シリーズ接続のキャパシタＣ１１，Ｃ１３と、で構成されている。この第１フィルタ１の第１周波数帯以下の周波数帯での減衰量は-10dB以下である。
【００２１】
第２フィルタ２は、シリーズ接続のインダクタＬ２１，Ｌ２２，Ｌ２３及びシャント接続の弾性波共振子Ｘ１，Ｘ２，Ｘ３で構成されるラダー回路である。
【００２２】
第１フィルタ１は遮断周波数を3GHzとするハイパスフィルタである。第２フィルタ２は、弾性波共振子Ｘ１，Ｘ２，Ｘ３の共振による周波数で減衰極を生じさせるローパスフィルタである。
【００２３】
図３（Ａ）は第１フィルタ１の挿入損失の周波数特性図であり、図３（Ｂ）は第２フィルタ２の挿入損失の周波数特性図である。また、図３（Ｃ）はフィルタ回路１０１の挿入損失の周波数特性図である。いずれも、横軸は周波数、縦軸はＳパラメータのＳ２１（透過係数）である。ここでは、−５ｄＢを通過域と遮断域のしきい値としている。
【００２４】
第１フィルタ１は、遮断周波数3GHzのハイパス特性を示す。第２フィルタ２は、5GHzを遮断周波数とするローパスフィルタ特性と、4.4GHz以上5.0GHz以下の周波数帯域を減衰させるノッチフィルタ特性を備える。
【００２５】
図３（Ｃ）に表れているように、フィルタ回路１０１は、3GHz以上5.0GHz以下の周波数帯域を通過させるバンドパスフィルタ特性と、4.4GHz以上5.0GHz以下の周波数帯域を減衰させるノッチフィルタ特性を備える。したがって、このフィルタ回路１０１は3GPP Band規格におけるBand n77を通過させ、Band n79を遮断する。また、第１フィルタ１の3GHz以下の周波数帯での減衰量は-10dB以下であるので、LTE規格のLBバンド、MLBバンド、MBバンド、HBバンド、及び2.4GHz帯の無線LANの信号が充分に遮断される。さらに、ISM（Industry Science Medical）内のLAA/LTE-U及び5.0GHz帯の無線LANの信号が充分に遮断される。
【００２６】
本実施形態によれば、大電力の帯域外信号が印加されるアンテナ端子側にＬＣ回路で構成される第１フィルタ１が配置されることで、第２フィルタ２の弾性波共振子でのIMDの発生が抑制され、第１フィルタ１によって、サブ６ＧＨｚ帯を含む広帯域通過特性が維持される。つまり、広帯域通過特性を維持しつつ、通過域から減衰域への急峻性が確保される。また、通過域における２つの周波数帯（Band n77，Band n79）のうち一方（本実施形態ではn79）を選択的に減衰させることができる。
【００２７】
また、本実施形態によれば、フィルタ回路１０１が3GHz以下の周波数帯を遮断するので、このフィルタ回路１０１を、LTEや2.4GHzの無線LANの通信信号を通過させるフィルタ回路と共に共通ポートに直接接続できる。その具体的な構成については別の実施形態で示す。
【００２８】
特に、3GHz〜4GHzの広帯域でかつ、Band n77（3.3GHz〜4.2GHz）、Band n79（4.4GHz〜5.0GHz）のように、間の周波数間隔が200MHz（比帯域4.7%）と非常に狭い構成を実現しようとすると、弾性波共振子を使用する必要がある。このような弾性波共振子を設計しようとすると、エネルギー密度が上がる構造へ変化する。例えば、SAW共振子なら、従来の周波数帯よりIDTピッチが狭くなる、IDT電極膜厚が薄くなる、とった変化が起こり、SAW共振子で発生するひずみが大きくなることが予想される。さらに、LTE Bandとの間での同時送受（Dual Connectivity; DC）や、2.4GHz／5GHz帯の無線LANを両立（co-existence）させる場合などにおいて、複数の周波数帯の送信信号がフィルタ回路に入ることが想定され、通信規格を満足しないほどの受信感度の劣化を引き起こすおそれがある。本実施形態によれば、大電力の第１周波数の通過帯域外の信号が印加されるアンテナ端子側にＬＣ回路で構成される第１フィルタ１が配置されることで、第２フィルタ２の弾性波共振子で発生されるIMDが抑制され、第１フィルタ１によって、サブ６ＧＨｚ帯を含む広帯域通過特性が維持される。つまり、広帯域通過特性を維持しつつ、通過域から減衰域への急峻性が確保される。
【００２９】
《第２の実施形態》
図４（Ａ）、図４（Ｂ）は第２の実施形態に係るフィルタ回路１０２Ａ，１０２Ｂのブロック図である。このフィルタ回路１０２Ａ，１０２Ｂは、アンテナが接続されるアンテナ端子ＡＮＴと、送受信回路が接続される送受信端子Ｒｘ／Ｔｘと第１フィルタ１と第２フィルタ２とを備える。第１フィルタ１は第１周波数帯を通過帯域とし、それ以外を減衰帯域とするバンドパスフィルタである。第２フィルタ２は、第１周波数帯内の第２周波数帯を減衰させるフィルタである。
【００３０】
上記第１周波数帯は例えば3GHz以上の周波数帯（3GHzから上の周波数帯）である。第２周波数帯は3GPP BandにおけるBand n79である。つまり、第２フィルタ２はBand n77を通過させ、Band n79を減衰させる。
【００３１】
フィルタ回路１０２Ａにおける第２フィルタ２はローパスフィルタ特性とノッチフィルタ特性を備え、フィルタ回路１０２Ｂにおける第２フィルタ２はハイパスフィルタ特性とノッチフィルタ特性を備える。
【００３２】
図５（Ａ）はフィルタ回路１０２Ａの回路構成を示す図であり、図５（Ｂ）はフィルタ回路１０２Ｂの回路構成を示す図である。第１フィルタ１も第２フィルタ２も回路素子の記号で、それらの回路を表している。
【００３３】
第１フィルタ１は、シャント接続のインダクタＬ１２及びキャパシタＣ１２の並列回路と、シリーズ接続のインダクタＬ１１，Ｌ１３及びキャパシタＣ１１，Ｃ１３とで構成されている。
【００３４】
図５（Ａ）において、第２フィルタ２は、シリーズ接続のインダクタＬ２１，Ｌ２２，Ｌ２３及びシャント接続の弾性波共振子Ｘ１，Ｘ２，Ｘ３で構成されるラダー回路である。この第２フィルタ２は弾性波共振子Ｘ１，Ｘ２，Ｘ３の共振による周波数で減衰極を生じさせる。
【００３５】
図５（Ｂ）において、第２フィルタ２は、シリーズ接続の弾性波共振子Ｘ１，Ｘ２，Ｘ３及びシャント接続のインダクタＬ２１，Ｌ２２，Ｌ２３で構成されるラダー回路である。この第２フィルタ２は弾性波共振子Ｘ１，Ｘ２，Ｘ３の反共振による周波数で減衰極を生じさせる。
【００３６】
図６（Ａ）は、フィルタ回路１０２Ａにおける第１フィルタ１の挿入損失の周波数特性図であり、図６（Ｂ）はフィルタ回路１０２Ａにおける第２フィルタ２の挿入損失の周波数特性図である。また、図６（Ｃ）はフィルタ回路１０２Ａの挿入損失の周波数特性図である。いずれも−５ｄＢを通過域と遮断域のしきい値としている。
【００３７】
このように、フィルタ回路１０２Ａにおける第１フィルタ１は、遮断周波数3GHz以上5GHz以下の周波数帯域を通過域、その他を遮断域とするバンドパス特性を示す。第２フィルタ２は、5GHzを遮断周波数とするローパスフィルタ特性と、4.4GHz以上5.0GHz以下の周波数帯域を減衰させるノッチフィルタ特性を備える。
【００３８】
図７（Ａ）は、フィルタ回路１０２Ｂにおける第１フィルタ１の挿入損失の周波数特性図であり、図７（Ｂ）はフィルタ回路１０２Ｂにおける第２フィルタ２の挿入損失の周波数特性図である。また、図７（Ｃ）はフィルタ回路１０２Ｂの挿入損失の周波数特性図である。いずれも−５ｄＢを通過域と遮断域のしきい値としている。
【００３９】
このように、フィルタ回路１０２Ｂにおける第１フィルタ１は、遮断周波数3GHz以上5GHz以下の周波数帯域を通過域、その他を遮断域とするバンドパス特性を示す。第２フィルタ２は、3GHzを遮断周波数とするハイパスフィルタ特性と、4.4GHz以上5.0GHz以下の周波数帯域を減衰させるノッチフィルタ特性を備える。
【００４０】
図６（Ｃ）、図７（Ｃ）に表れているように、フィルタ回路１０２Ａ，１０２Ｂは、3GHz以上5.0GHz以下の周波数帯域を通過させるバンドパスフィルタ特性と、4.4GHz以上5.0GHz以下の周波数帯域を減衰させるノッチフィルタ特性を備える。これらフィルタ回路１０２Ａ，１０２Ｂの特性は第１の実施形態で示したフィルタ回路１０１の特性と同じである。
【００４１】
図５（Ａ）、図５（Ｂ）に示した構成により得られる、図６（Ｃ）、図７（Ｃ）に示した特性は同等であるが、図５（Ａ）に示した、シャント接続の弾性波共振子Ｘ１，Ｘ２，Ｘ３とシリーズ接続のインダクタＬ２１，Ｌ２２，Ｌ２３とのラダー回路による第２フィルタ２では減衰域（ノッチ域）に隣接する周波数帯での挿入損失が大きいが、減衰域（ノッチ域）から離れた、Band n77の低域側の挿入損失が小さく、5GHz帯の減衰量が大きい。
【００４２】
《第３の実施形態》
図８は第３の実施形態に係るフィルタ回路１０３のブロック図である。このフィルタ回路１０３は、アンテナが接続されるアンテナ端子ＡＮＴと、送受信回路が接続される送受信端子Ｒｘ／Ｔｘと第１フィルタ１と第２フィルタ２とを備える。第１フィルタ１は第１周波数帯を通過帯域とし、それ以下を減衰帯域とするハイパスフィルタである。第２フィルタ２は、第１周波数帯内の第２周波数帯を減衰させるフィルタである。
【００４３】
上記第１周波数帯は例えば3GHz以上の周波数帯（3GHzから上の周波数帯）である。第２周波数帯は3GPP BandにおけるBand n79である。つまり、第２フィルタ２はBand n77を通過させ、Band n79を減衰させる。
【００４４】
図９はフィルタ回路１０３の回路構成を示す図である。第１フィルタ１は、シャント接続のインダクタＬ１及びキャパシタＣ１２の直列回路と、シリーズ接続のキャパシタＣ１１，Ｃ１３と、で構成されている。
【００４５】
第２フィルタ２は、シリーズ接続の弾性波共振子Ｘ１，Ｘ２，Ｘ３及びシャント接続のインダクタＬ２１，Ｌ２２，Ｌ２３で構成されるラダー回路である。
【００４６】
第１フィルタ１は遮断周波数を3GHzとするハイパスフィルタである。第２フィルタ２は、弾性波共振子Ｘ１，Ｘ２，Ｘ３の反共振による周波数で減衰極を生じさせる。
【００４７】
図１０（Ａ）はフィルタ回路１０３における第１フィルタ１の挿入損失の周波数特性図であり、図１０（Ｂ）はフィルタ回路１０３における第２フィルタ２の挿入損失の周波数特性図である。また、図１０（Ｃ）はフィルタ回路１０３の挿入損失の周波数特性図である。いずれも−５ｄＢを通過域と遮断域のしきい値としている。
【００４８】
第１フィルタ１は、遮断周波数3GHzのハイパス特性を示す。第２フィルタ２は、5GHzを遮断周波数とするハイパスフィルタ特性と、4.4GHz以上5.0GHz以下の周波数帯域を減衰させるノッチフィルタ特性を備える。
【００４９】
図１０（Ｃ）に表れているように、フィルタ回路１０３は、3GHz以上を通過させるハイパスフィルタ特性と、4.4GHz以上5.0GHz以下の周波数帯域を減衰させるノッチフィルタ特性を備える。したがって、このフィルタ回路１０３は3GPP Band規格におけるBand n77を通過させ、Band n79を遮断する。また、LTE規格のLBバンド、MLBバンド、MBバンド、HBバンド、及び2.4GHz帯の無線LANの信号を遮断する。
【００５０】
《第４の実施形態》
図１１は第４の実施形態に係るフィルタ回路１０４のブロック図である。このフィルタ回路１０４は、アンテナが接続されるアンテナ端子ＡＮＴと、送受信回路が接続される送受信端子Ｒｘ／Ｔｘと第１フィルタ１と第２フィルタ２とを備える。第１フィルタ１は、３ＧＨｚを遮断周波数とするハイパスフィルタ１Ａと、５ＧＨｚを遮断周波数とするローパスフィルタ１Ｂとで構成される。第２フィルタ２は、第１周波数帯内の第２周波数帯を減衰させるフィルタである。
【００５１】
図１２はフィルタ回路１０４の回路構成を示す図である。第１フィルタ１は、シャント接続のインダクタＬ１１及びキャパシタＣ１１のＬＣ直列回路と、シャント接続のインダクタＬ１３及びキャパシタＣ１３のＬＣ直列回路と、シャント接続のインダクタＬ１５及びキャパシタＣ１５のＬＣ直列回路と、シリーズ接続の、インダクタＬ１２及びキャパシタＣ１２のＬＣ並列回路と、シリーズ接続の、インダクタＬ１４及びキャパシタＣ１４のＬＣ並列回路と、で構成されている。
【００５２】
図１２における第１フィルタ１において、シャント接続のＬとシリーズ接続のＣとで上記ハイパスフィルタ１Ａが構成され、シリーズ接続のＬとシャント接続のＣとで上記ローパスフィルタ１Ｂが構成される。
【００５３】
第２フィルタ２は、シリーズ接続の弾性波共振子Ｘ１，Ｘ２，Ｘ３及びシャント接続のインダクタＬ２１，Ｌ２２で構成され、弾性波共振子Ｘ１，Ｘ２，Ｘ３の反共振による周波数で減衰極を生じさせる。
【００５４】
図１３はフィルタ回路１０４の挿入損失の周波数特性図である。ここで（１Ａ）で示す周波数帯は上記ＬＣ直列回路による減衰域の周波数帯であり、（１Ｂ）で示す周波数帯は上記ＬＣ並列回路による減衰域の周波数帯である。また、（２）で示す周波数帯は第２フィルタ２による特性が現れる周波数帯である。つまり、3GHz以下の周波数帯域を遮断し、且つ4.4GHz〜5.0GHzを遮断する。
【００５５】
《第５の実施形態》
図１４は第５の実施形態に係るフィルタ回路１０５のブロック図である。このフィルタ回路１０５は、アンテナが接続されるアンテナ端子ＡＮＴと、送受信回路が接続される送受信端子Ｒｘ／Ｔｘと第１フィルタ１と第２フィルタ２とを備える。第１フィルタ１は3GHzを減衰周波数とするハイパスフィルタである。第２フィルタ２は、3GPP Band規格におけるBand n77を減衰させるフィルタである。
【００５６】
図１５はフィルタ回路１０５の回路構成を示す図である。第１フィルタ１は、シャント接続のインダクタＬ１及びキャパシタＣ１２の直列回路と、シリーズ接続のキャパシタＣ１１，Ｃ１３と、で構成されている。
【００５７】
第２フィルタ２は、シリーズ接続のインダクタＬ２１，Ｌ２２，Ｌ２３及びシャント接続の弾性波共振子Ｘ１，Ｘ２，Ｘ３で構成されるラダー回路である。
【００５８】
第１フィルタ１は遮断周波数を3GHzとするハイパスフィルタである。第２フィルタ２は、弾性波共振子Ｘ１，Ｘ２，Ｘ３の共振による周波数で減衰極を生じさせる。
【００５９】
図１６（Ａ）は第１フィルタ１の挿入損失の周波数特性図であり、図１６（Ｂ）は第２フィルタ２の挿入損失の周波数特性図である。また、図１６（Ｃ）はフィルタ回路１０５の挿入損失の周波数特性図である。
【００６０】
第１フィルタ１は、遮断周波数3GHzのハイパス特性を示す。第２フィルタ２は、5GHzを遮断周波数とするローパスフィルタ特性と、3.3GHz以上4.2GHz以下の周波数帯域を減衰させるノッチフィルタ特性を備える。したがって、このフィルタ回路１０５は3GPP Band規格におけるBand n79を通過させ、Band n77を遮断する。また、LTE規格のLBバンド、MLBバンド、MBバンド、HBバンド、及び2.4GHz帯の無線LANの信号を遮断する。さらに、ISM（Industry Science Medical）内のLAA/LTE-U及び5.0GHz帯の無線LANの信号を遮断する。
【００６１】
《第６の実施形態》
図１７（Ａ）、図１７（Ｂ）は第６の実施形態に係るフィルタ回路１０６Ａ，１０６Ｂのブロック図である。このフィルタ回路１０６Ａ，１０６Ｂは、アンテナが接続されるアンテナ端子ＡＮＴと、送受信回路が接続される送受信端子Ｒｘ／Ｔｘと第１フィルタ１と第２フィルタ２とを備える。第１フィルタ１は第１周波数帯である3GHz以上5GHz以下の周波数帯を通過帯域とし、それ以外を減衰帯域とするバンドパスフィルタである。第２フィルタ２は、Band n79を通過させ、Band n77を遮断する。
【００６２】
図１８（Ａ）はフィルタ回路１０６Ａの回路構成を示す図であり、図１８（Ｂ）はフィルタ回路１０６Ｂの回路構成を示す図である。
【００６３】
第１フィルタ１は、シャント接続のインダクタＬ１２及びキャパシタＣ１２の並列回路と、シリーズ接続のインダクタＬ１１，Ｌ１３及びキャパシタＣ１１，Ｃ１３とで構成されている。
【００６４】
図１８（Ａ）において、第２フィルタ２は、シリーズ接続のインダクタＬ２１，Ｌ２２，Ｌ２３及びシャント接続の弾性波共振子Ｘ１，Ｘ２，Ｘ３で構成されるラダー回路である。この第２フィルタ２は弾性波共振子Ｘ１，Ｘ２，Ｘ３の共振による周波数で減衰極を生じさせる。
【００６５】
図１８（Ｂ）において、第２フィルタ２は、シリーズ接続の弾性波共振子Ｘ１，Ｘ２，Ｘ３及びシャント接続のインダクタＬ２１，Ｌ２２，Ｌ２３で構成されるラダー回路である。この第２フィルタ２は弾性波共振子Ｘ１，Ｘ２，Ｘ３の反共振による周波数で減衰極を生じさせる。
【００６６】
図１９（Ａ）は、フィルタ回路１０６Ａにおける第１フィルタ１の挿入損失の周波数特性図であり、図１９（Ｂ）はフィルタ回路１０６Ａにおける第２フィルタ２の挿入損失の周波数特性図である。また、図１９（Ｃ）はフィルタ回路１０６Ａの挿入損失の周波数特性図である。
【００６７】
このように、フィルタ回路１０６Ａにおける第１フィルタ１は、遮断周波数3GHz以上5GHz以下の周波数帯域を通過域、その他を遮断域とするバンドパス特性を示す。第２フィルタ２は、5GHzを遮断周波数とするローパスフィルタ特性と、3.3GHz以上4.2GHz以下の周波数帯域を減衰させるノッチフィルタ特性を備える。
【００６８】
図２０（Ａ）は、フィルタ回路１０６Ｂにおける第１フィルタ１の挿入損失の周波数特性図であり、図２０（Ｂ）はフィルタ回路１０６Ｂにおける第２フィルタ２の挿入損失の周波数特性図である。また、図２０（Ｃ）はフィルタ回路１０６Ｂの挿入損失の周波数特性図である。
【００６９】
このように、フィルタ回路１０６Ｂにおける第１フィルタ１は、遮断周波数3GHz以上5GHz以下の周波数帯域を通過域、その他を遮断域とするバンドパス特性を示す。第２フィルタ２は、3GHzを遮断周波数とするハイパスフィルタ特性と、3.3GHz以上4.2GHz以下の周波数帯域を減衰させるノッチフィルタ特性を備える。
【００７０】
図１９（Ｃ）、図２０（Ｃ）に表れているように、フィルタ回路１０６Ａ，１０６Ｂは、3GHz以上5.0GHz以下の周波数帯域を通過させるバンドパスフィルタ特性と、3.3GHz以上4.2GHz以下の周波数帯域を減衰させるノッチフィルタ特性を備える。これらフィルタ回路１０６Ａ，１０６Ｂの特性は第５の実施形態で示したフィルタ回路１０５の特性と同じである。
【００７１】
図１８（Ａ）、図１８（Ｂ）に示した構成により得られる、図１９（Ｃ）、図２０（Ｃ）に示した特性は同等であるが、図１８（Ｂ）に示した、シリーズ接続の弾性波共振子Ｘ１，Ｘ２，Ｘ３とシャント接続のインダクタＬ２１，Ｌ２２，Ｌ２３とのラダー回路による第２フィルタ２では、減衰域（ノッチ域）に隣接する周波数帯での挿入損失が大きいが、減衰域（ノッチ域）から離れた、Band n79の高域側の挿入損失は小さく、3GHz以下の減衰量は大きい。
【００７２】
《第７の実施形態》
図２１は第７の実施形態に係るフィルタ回路１０７のブロック図である。このフィルタ回路１０７は、アンテナが接続されるアンテナ端子ＡＮＴと、送受信回路が接続される送受信端子Ｒｘ／Ｔｘと第１フィルタ１と第２フィルタ２とを備える。第１フィルタ１は3GHzを遮断周波数とするハイパスフィルタある。第２フィルタ２は、3GPP Band規格におけるBand n77を減衰させるフィルタである。
【００７３】
図２２はフィルタ回路１０７の回路構成を示す図である。第１フィルタ１は、シャント接続のインダクタＬ１及びキャパシタＣ１２の直列回路と、シリーズ接続のキャパシタＣ１１，Ｃ１３と、で構成されている。
【００７４】
第２フィルタ２は、シリーズ接続の弾性波共振子Ｘ１，Ｘ２，Ｘ３及びシャント接続のインダクタＬ２１，Ｌ２２，Ｌ２３で構成されるラダー回路である。
【００７５】
図２３（Ａ）は第１フィルタ１の挿入損失の周波数特性図であり、図２３（Ｂ）は第２フィルタ２の挿入損失の周波数特性図である。また、図２３（Ｃ）はフィルタ回路１０７の挿入損失の周波数特性図である。
【００７６】
第１フィルタ１は、遮断周波数3GHzのハイパス特性を示す。第２フィルタ２は、3GHzを遮断周波数とするハイパスフィルタ特性と、3.3GHz以上4.2GHz以下の周波数帯域を減衰させるノッチフィルタ特性を備える。したがって、このフィルタ回路１０７は3GPP Band規格におけるBand n79を通過させ、Band n77を遮断する。また、LTE規格のLBバンド、MLBバンド、MBバンド、HBバンド、及び2.4GHz帯の無線LANの信号を遮断する。
【００７７】
《第８の実施形態》
図２４は第８の実施形態に係るフィルタ回路１０８のブロック図である。このフィルタ回路１０８は、アンテナが接続されるアンテナ端子ＡＮＴと、送受信回路が接続される送受信端子Ｒｘ／Ｔｘと第１フィルタ１と第２フィルタ２とを備える。第１フィルタ１は3GHzを遮断周波数とするハイパスフィルタある。第２フィルタ２は、3GPP Band規格におけるBand n77を減衰させるフィルタである。
【００７８】
図２５はフィルタ回路１０８の回路構成を示す図である。第１フィルタ１は、シャント接続のインダクタＬ１及びキャパシタＣ１２の直列回路と、シリーズ接続のキャパシタＣ１１，Ｃ１３と、で構成されている。
【００７９】
第２フィルタ２は、シリーズ接続の弾性波共振子Ｘ１１，Ｘ１２，Ｘ１３及びシャント接続の弾性波共振子Ｘ２１，Ｘ２２，Ｘ２３で構成されている。
【００８０】
図２６（Ａ）は第１フィルタ１の挿入損失の周波数特性図であり、図２６（Ｂ）は第２フィルタ２の挿入損失の周波数特性図である。また、図２６（Ｃ）はフィルタ回路１０８の挿入損失の周波数特性図である。
【００８１】
第１フィルタ１は、遮断周波数3GHzのハイパス特性を示す。第２フィルタ２は、3GHz以上5GHz以下を通過帯域、それ以外を遮断帯域とするバンドパスフィルタ特性と、3.3GHz以上4.2GHz以下の周波数帯域を減衰させるノッチフィルタ特性とを備える。したがって、このフィルタ回路１０８は3GPP Band規格におけるBand n79を通過させ、Band n77を遮断する。また、LTE規格のLBバンド、MLBバンド、MBバンド、HBバンド、及び2.4GHz帯の無線LANの信号を遮断する。さらに、ISM（Industry Science Medical）内のLAA/LTE-U及び5.0GHz帯の無線LANの信号を遮断する。
【００８２】
《第９の実施形態》
図２７は第９の実施形態に係るフィルタ装置３０９のブロック図である。また、図２８はフィルタ装置３０９の回路図である。
【００８３】
このフィルタ装置３０９は、共通ポートであるアンテナ端子ＡＮＴと、第１入出力ポートＰ１及び第２入出力ポートＰ２との間に設けられた、第１フィルタ回路１０３及び第２フィルタ回路１０５を備える。
【００８４】
第１フィルタ回路１０３は第３の実施形態で示したフィルタ回路１０３である。つまり、3GHz以下の周波数帯を遮断し、Band n79を遮断する。また、第２フィルタ回路１０５は第５の実施形態で示したフィルタ回路１０５である。つまり、3GHz以下の周波数帯を遮断し、Band n77を遮断する。
【００８５】
この実施形態のフィルタ装置３０９は、3GPP Band規格におけるBand n77とBand n79とのダイプレクサとして用いることができる。
【００８６】
《第１０の実施形態》
図２９は第１０の実施形態に係るフィルタ装置３１０のブロック図である。また、図３０はフィルタ装置３１０の回路図である。
【００８７】
このフィルタ装置３１０は、共通ポートであるアンテナ端子ＡＮＴと、第１入出力ポートＰ１及び第２入出力ポートＰ２との間に設けられた、第１フィルタ回路１０１及び第２フィルタ回路１０７を備える。第１フィルタ回路１０１は第１フィルタ１と第２フィルタ２Ａとで構成され、第２フィルタ回路１０７は第１フィルタ１と第２フィルタ２Ｂとで構成される。但し、第１フィルタ回路１０１の第１フィルタ１と第２フィルタ回路１０７の第１フィルタ１とは共用の（兼用の）ＬＣ回路で構成されるフィルタである。
【００８８】
フィルタ回路１０１の構成は第１の実施形態で示したフィルタ回路１０１と同じであり、フィルタ回路１０７の構成は第７の実施形態で示したフィルタ回路１０７と同じである。
【００８９】
この実施形態のフィルタ装置３１０は、3GPP Band規格におけるBand n77とBand n79とのダイプレクサとして用いることができる。本実施形態によれば、第１フィルタ１の数を削減でき、回路を簡素化できる。
【００９０】
なお、図２９に示した例では、第１フィルタ１をハイパスフィルタで構成したが、これを、例えば図４（Ａ）、図４（Ｂ）に示したバンドパスフィルタで構成してもよい。また、第１フィルタ１と第２フィルタ（２Ａ，２Ｂ等）との組み合わせは、図２９に示したものに限らず、これまでの実施形態で示した第２フィルタ２を適用することもできる。
【００９１】
《第１１の実施形態》
図３１は第１１の実施形態に係るフィルタ装置３１１のブロック図である。このフィルタ装置３１１は、フィルタ回路１０１，１０７と、3GHz以下の第３周波数帯の信号を通過させ、共用のフィルタとでダイプレクサを構成するローパスフィルタ３１と、ローパスフィルタ３１に接続され、第３周波数帯の信号を通過させる複数のバンドパスフィルタ３２−１・・・３２−ｎと、を備える。上記第３周波数帯は例えばLTEや2.4GHzの無線LANの周波数帯である。図３１中のLTE1・・・LTEnは周波数帯ごとの信号経路の入出力ポートを表している。第１フィルタ回路１０１は第１フィルタ１と第２フィルタ２Ａとで構成され、第２フィルタ回路１０７は第１フィルタ１と第２フィルタ２Ｂとで構成される。但し、第１フィルタ回路１０１の第１フィルタ１と第２フィルタ回路１０７の第１フィルタ１とは共用の（兼用の）ＬＣ回路で構成されるフィルタである。
【００９２】
フィルタ回路１０１は第１の実施形態で示したフィルタ回路１０１である。つまり、3GHz以下の周波数帯を遮断し、Band n79を遮断する。また、フィルタ回路１０７は第７の実施形態で示したフィルタ回路１０７である。つまり、3GHz以下の周波数帯以外を遮断し、Band n77を遮断する。
【００９３】
上記フィルタ回路１０１とフィルタ回路１０７とで共用される第１フィルタ１は3GHzを遮断周波数とするハイパスフィルタであり、この第１フィルタ１とローパスフィルタ３１とでダイプレクサが構成される。
【００９４】
このように、フィルタ回路１０１，１０７が3GHz以下の周波数帯を遮断するので、このフィルタ回路１０１，１０７を3GHz以下の通信信号用のフィルタと直接的に接続することができる。
【００９５】
最後に、上述の実施形態の説明は、すべての点で例示であって、制限的なものではない。当業者にとって変形及び変更が適宜可能である。本発明の範囲は、上述の実施形態ではなく、特許請求の範囲によって示される。さらに、本発明の範囲には、特許請求の範囲内と均等の範囲内での実施形態からの変更が含まれる。
【符号の説明】
【００９６】
ＡＮＴ…アンテナ端子
Ｃ１１〜Ｃ１５…キャパシタ
Ｌ１…インダクタ
Ｌ１１〜Ｌ１５，Ｌ２１〜Ｌ２３…インダクタ
Ｐ１…第１入出力ポート
Ｐ２…第２入出力ポート
Ｒｘ／Ｔｘ…送受信端子
Ｘ１，Ｘ２，Ｘ３…弾性波共振子
Ｘ１１，Ｘ１２，Ｘ１３，Ｘ２１，Ｘ２２，Ｘ２３…弾性波共振子
１…第１フィルタ
１Ａ…ハイパスフィルタ
１Ｂ…ローパスフィルタ
２…第２フィルタ
３１…ローパスフィルタ
３２−１〜３２−ｎ…バンドパスフィルタ
１０１…フィルタ回路，第１フィルタ回路
１０２Ａ，１０２Ｂ…フィルタ回路
１０３…フィルタ回路，第１フィルタ回路
１０４…フィルタ回路
１０５…フィルタ回路，第２フィルタ回路
１０６Ａ，１０６Ｂ…フィルタ回路
１０７…フィルタ回路，第２フィルタ回路
１０８…フィルタ回路
３０９，３１０，３１１…フィルタ装置
【図１】
2020108066.tif 000003
【図２】
2020108066.tif 000004
【図３】
2020108066.tif 000005
【図４】
2020108066.tif 000006
【図５】
2020108066.tif 000007
【図６】
2020108066.tif 000008
【図７】
2020108066.tif 000009
【図８】
2020108066.tif 000010
【図９】
2020108066.tif 000011
【図１０】
2020108066.tif 000012
【図１１】
2020108066.tif 000013
【図１２】
2020108066.tif 000014
【図１３】
2020108066.tif 000015
【図１４】
2020108066.tif 000016
【図１５】
2020108066.tif 000017
【図１６】
2020108066.tif 000018
【図１７】
2020108066.tif 000019
【図１８】
2020108066.tif 000020
【図１９】
2020108066.tif 000021
【図２０】
2020108066.tif 000022
【図２１】
2020108066.tif 000023
【図２２】
2020108066.tif 000024
【図２３】
2020108066.tif 000025
【図２４】
2020108066.tif 000026
【図２５】
2020108066.tif 000027
【図２６】
2020108066.tif 000028
【図２７】
2020108066.tif 000029
【図２８】
2020108066.tif 000030
【図２９】
2020108066.tif 000031
【図３０】
2020108066.tif 000032
【図３１】
2020108066.tif 000033